(57)【要約】【課題】ソリッド領域部の膨張領域部との境界に亀裂が発生しないようにする。【解決手段】成形時にキャビティ容積を拡大させて繊維入り熱可塑性樹脂を膨張させることにより、樹脂密度の高いスキン層３９が表面に形成されるとともに多数の空隙を有しスキン層３９に比べて樹脂密度の低い膨張層４１が内部に形成されたプレート本体１５の膨張領域部Ａと、膨張領域部Ａに隣接し成形時にキャビティ容積を拡大させずに膨張層４１を有することなく樹脂密度の高いソリッド層４３に形成された取付部３７（ソリッド領域部Ｂ）とで構成されたパネル状のキャリアプレート９において、取付部３７の膨張領域部Ａとの境界に、ソリッド層４３からなる厚肉部４５をキャビティ容積拡大方向に厚くなるように一体に形成する。【選択図】図１
2007223282.tif 000002
【特許請求の範囲】
【請求項１】
成形型のキャビティ内に射出充填した繊維入り熱可塑性樹脂の固化進行により上記成形型の成形面近傍における繊維入り熱可塑性樹脂にスキン層が生成された時点で、キャビティ容積を拡大させて上記繊維入り熱可塑性樹脂を膨張させることにより、樹脂密度の高いスキン層が表面に形成されるとともに多数の空隙を有し上記スキン層に比べて樹脂密度の低い膨張層が内部に形成された膨張領域部と、
該膨張領域部に隣接し成形時にキャビティ容積を拡大させずに上記膨張層を有することなく樹脂密度の高いソリッド層に形成されたソリッド領域部とで構成されたパネル状の樹脂成形体であって、
上記ソリッド領域部の膨張領域部との境界には、当該箇所に対応するキャビティに繊維入り熱可塑性樹脂をソリッド領域部側よりもキャビティ容積拡大方向に多く充填した状態で当該外周りのキャビティ容積を拡大させることにより、上記ソリッド層からなる厚肉部がキャビティ容積拡大方向に厚くなるように一体に形成されていることを特徴とする樹脂成形体。
【請求項２】
請求項１に記載の樹脂成形体の成形方法であって、
先端外周縁部に面取部が形成されたスライド型がソリッド領域部形成箇所に対応するように進退可能に配置された成形型を用意し、
上記成形型の型閉じ状態で、上記スライド型の面取部に対応するキャビティの樹脂充填量が該面取部を除く先端成形面よりもキャビティ容積拡大方向に多くなるように繊維入り熱可塑性樹脂をキャビティ内に充填し、
次いで、上記繊維入り熱可塑性樹脂の固化進行により上記成形型の成形面近傍における繊維入り熱可塑性樹脂にスキン層が生成された時点で、スライド型対応箇所のキャビティ容積を拡大させずにその外周りのキャビティ容積を拡大させて当該キャビティ箇所の繊維入り熱可塑性樹脂を膨張させることを特徴とする樹脂成形体の成形方法。
【発明の詳細な説明】
【技術分野】
【０００１】
この発明は、樹脂密度の高いスキン層が表面に形成されるとともに多数の空隙を有し上記スキン層に比べて樹脂密度の低い膨張層が内部に形成された膨張領域部と、該膨張領域部に隣接し上記膨張層を有することなく樹脂密度の高いソリッド層に形成されたソリッド領域部とで構成されたパネル状の樹脂成形体及びその成形方法に関するものである。
【背景技術】
【０００２】
特許文献１には、可動型を内部に収容した移動型と固定型とからなる成形型を型閉じした状態で、キャビティ内に繊維入り熱可塑性樹脂を射出充填し、該キャビティ内で上記繊維入り熱可塑性樹脂が固化する過程で、上記移動型内で可動型をキャビティ容積拡大方向に後退させて繊維入り熱可塑性樹脂を膨張させることにより、スキン層が表面に形成されるとともに多数の空隙を有する膨張層が内部に形成された樹脂成形体を成形する技術が開示されている。そして、成形された樹脂成形体では、樹脂成形体の厚み方向に非膨張あるいは低膨張率の樹脂層の凹状部を形成して局部的な応力、捻じれの防止を図っている。
【特許文献１】特開平１１−１５６８８１号公報（第３頁、図１）
【発明の開示】
【発明が解決しようとする課題】
【０００３】
ところで、上述の如く膨張層が内部全域に形成されている樹脂成形体に例えば部品を取り付ける場合、部品取付箇所を膨張層を有することなくソリッド層に形成されたソリッド領域部とすることが剛性を高める観点から望ましい。そのやり方として、まず、例えば、成形型の固定型にソリッド領域部形成箇所に対応してスライド型を進退可能に配置し、該スライド型を先端成形面が上記固定型の成形面と同一になるように位置付けた状態で、繊維入り熱可塑性樹脂をキャビティ内に射出充填する。次いで、上記繊維入り熱可塑性樹脂の固化進行により上記成形型の成形面近傍における繊維入り熱可塑性樹脂にスキン層が生成された時点で、可動型をキャビティ容積拡大方向に後退させて繊維入り熱可塑性樹脂を膨張させるとともに、スライド型対応箇所のキャビティ容積が拡大しないように上記スライド型を可動型のキャビティ容積拡大方向への後退動作に追従させてキャビティ内に進出させる。これにより、スキン層が表面に形成されるとともに膨張層が内部に形成された膨張領域部に、膨張層がなくソリッド層に形成されたソリッド領域部が隣接した樹脂成形体を成形することが考えられる。
【０００４】
しかし、スライド型は硬い金属製や硬質樹脂製で成形面外周縁が鋭く角張っているため、上述のようにして樹脂成形体を成形すると、スライド型がキャビティ内に進出しても、スライド型対応箇所の固化進行状態にある繊維入り熱可塑性樹脂はスライド型に押されないが、スライド型の鋭く角張った成形面外周縁がその周りの固化進行状態にある繊維入り熱可塑性樹脂に切り込んだ状態となり、その結果、ソリッド領域部の膨張領域部との境界に亀裂が発生し、成形された樹脂成形体の剛性強度が低下することになる。
【０００５】
この発明はかかる点に鑑みてなされたものであり、その目的とするところは、膨張成形された樹脂成形体において、ソリッド領域部の膨張領域部との境界に亀裂が発生しないようにすることである。
【課題を解決するための手段】
【０００６】
上記の目的を達成するため、この発明は、ソリッド領域部の膨張領域部との境界の剛性強度を高めたことを特徴とし、具体的には、次のような解決手段を講じた。
【０００７】
すなわち、請求項１に記載の発明は、成形型のキャビティ内に射出充填した繊維入り熱可塑性樹脂の固化進行により上記成形型の成形面近傍における繊維入り熱可塑性樹脂にスキン層が生成された時点で、キャビティ容積を拡大させて上記繊維入り熱可塑性樹脂を膨張させることにより、樹脂密度の高いスキン層が表面に形成されるとともに多数の空隙を有し上記スキン層に比べて樹脂密度の低い膨張層が内部に形成された膨張領域部と、該膨張領域部に隣接し成形時にキャビティ容積を拡大させずに上記膨張層を有することなく樹脂密度の高いソリッド層に形成されたソリッド領域部とで構成されたパネル状の樹脂成形体であって、上記ソリッド領域部の膨張領域部との境界には、当該箇所に対応するキャビティに繊維入り熱可塑性樹脂をソリッド領域部側よりもキャビティ容積拡大方向に多く充填した状態で当該外周りのキャビティ容積を拡大させることにより、上記ソリッド層からなる厚肉部がキャビティ容積拡大方向に厚くなるように一体に形成されていることを特徴とする。
【０００８】
請求項２に記載の発明は、請求項１に記載の樹脂成形体の成形方法であって、先端外周縁部に面取部が形成されたスライド型がソリッド領域部形成箇所に対応するように進退可能に配置された成形型を用意し、上記成形型の型閉じ状態で、上記スライド型の面取部に対応するキャビティの樹脂充填量が該面取部を除く先端成形面よりもキャビティ容積拡大方向に多くなるように繊維入り熱可塑性樹脂をキャビティ内に充填し、次いで、上記繊維入り熱可塑性樹脂の固化進行により上記成形型の成形面近傍における繊維入り熱可塑性樹脂にスキン層が生成された時点で、スライド型対応箇所のキャビティ容積を拡大させずにその外周りのキャビティ容積を拡大させて当該キャビティ箇所の繊維入り熱可塑性樹脂を膨張させることを特徴とする。
【発明の効果】
【０００９】
請求項１に係る発明によれば、膨張領域部の表面にスキン層が形成されるとともに、内部に多数の空隙を有する膨張層が形成され、樹脂成形体の軽量化を図ることができる。また、ソリッド領域部が膨張層のない樹脂密度の高いソリッド層に形成されていることに加え、上記ソリッド領域部の膨張領域部との境界にソリッド層からなる厚肉部が形成されているため、ソリッド領域部の剛性強度の強化、特に圧縮強度の強化を確固たるものにすることができる。さらに、上記ソリッド領域部の膨張領域部との境界におけるソリッド層からなる厚肉部は、当該箇所に対応するキャビティの樹脂充填量をソリッド領域部側よりもキャビティ容積拡大方向に多くすることで形成されるため、膨張成形時に上記膨張領域部に対応するキャビティ容積を拡大させた際、未だ固化状態にないゲル状の樹脂の一部が拡大したキャビティ内に流出し、この際、ゲル状の樹脂は固化進行状態にある樹脂であり、硬い金属製や硬質樹脂製のスライド型に比べて格段に柔らかいため、ゲル状の樹脂がクッション（緩衝）作用をしてスライド型の先端周辺部の進出力は吸収緩和される。したがって、ソリッド領域部の膨張領域部との境界に亀裂が発生せず、成形された樹脂成形体の剛性強度を確保することができる。
【００１０】
請求項２に係る発明によれば、スライド型に面取部を形成するだけで、型構造を大幅に改変することなく簡素な型構造で上述の如き亀裂がなく優れた強度剛性を有する樹脂成形体を安価に成形することができる。
【発明を実施するための最良の形態】
【００１１】
以下、この発明の実施の形態について図面に基づいて説明する。
【００１２】
図３は自動車のサイドドア１の断面図である。該サイドドア１はドアアウタパネル３とドアインナパネル５とからなる金属製のドア本体７を備え、該ドア本体７の上記ドアインナパネル５にパネル状の樹脂成形体としての樹脂製キャリアプレート（ドアモジュールプレート）９がシール材１１を介して取り付けられ、ドアトリム１３が上記キャリアプレート９を車室内側から被うように上記ドアインナパネル５に取り付けられている。
【００１３】
上記キャリアプレート９は、繊維入り熱可塑性樹脂で成形され、その主体をなす後述する膨張領域部Ａとソリッド領域部Ｂとを有するプレート本体１５を備えている。該プレート本体１５の車室外側面側の外周縁部には、図２にも示すように、上記シール材１１を収容するシール溝部１７が形成されている。また、上記プレート本体１５の外周縁部近傍（シール溝部１７内側）には、平面視円形状の取付部１９が複数個所定間隔をあけて全周に亘って一体に隣接して突設され、該各取付部１９には締結用の貫通孔１９ａがプレート本体１５を貫通するように形成されている。そして、キャリアプレート９をドアインナパネル５に重ねて上記各取付部１９の貫通孔１９ａをドアインナパネル５の開口周縁部５ａに形成された複数個のボルト挿通孔５ｂに対応させた状態で、ボルト２１を車室内側から各貫通孔１９ａ及びボルト挿通孔５ｂに挿通し、ドアインナパネル５の車室外側面に溶着されたウェルドナット２３に螺合させることにより、キャリアプレート９をドアインナパネル５に取り付けている（図３参照）。
【００１４】
上記プレート本体１５の車室外側面側における上端縁及び下端縁には、平面視円形状の筒状取付座２５が２個ずつ車幅方向に間隔をあけて一体に隣接して突設され、ウインドガラスを昇降案内する金属製のガイドレール２７を上記取付座２５にボルト２９及びナット３１により取り付けている（図２参照）。上記ガイドレール２７の両端には、ウインドガラス昇降用ワイヤ（図示せず）を案内するローラ３３が軸３５により回転可能に軸支されている。
【００１５】
上記プレート本体１５の図２中程には、図示しないウインドガラスを昇降させるモータを取り付けるための上記ソリッド領域部Ｂである平面視略三角形の取付部３７が一体に隣接して形成され、該取付部３７には円形状のモータ取付孔３７ａがプレート本体１５を貫通するように形成されているとともに、該モータ取付孔３７ａの周りには３個のネジ挿通用の貫通孔３７ｂが三角形の頂点の位置に対応してプレート本体１５を貫通するように形成されている。
【００１６】
上記プレート本体１５の上記膨張領域部Ａは、上記ソリッド領域部Ｂ（取付部３７）を包囲するように形成され、後述する成形型４７のキャビティ５３内に射出充填した繊維入り熱可塑性樹脂Ｒの固化進行により上記成形型４７（固定型４９、スライド型５１、可動型５５）の成形面４９ｂ，５１ｃ，５５ａ近傍における繊維入り熱可塑性樹脂Ｒにスキン層３９が生成された時点で、上記プレート本体１５に対応するキャビティ容積を拡大させて上記繊維入り熱可塑性樹脂Ｒを膨張させることにより、図１に示すように、空隙がなく樹脂密度の高い堅いスキン層３９が表面に形成されるとともに、多数の空隙（図示せず）を有し上記スキン層３９に比べて樹脂密度の低い膨張層４１が内部に形成されている。図３では作図上の都合によりプレート本体１５を単一層として表している。これに対し、上記取付部３７は、図１及び図５に示すように、成形時にキャビティ容積を拡大させずに上記膨張層４１を有することなく樹脂密度の高いソリッド層４３に形成されている。また、上記取付部３７の膨張領域部Ａとの境界には、本発明の特徴とする当該箇所に対応するキャビティに繊維入り熱可塑性樹脂Ｒをソリッド領域部Ｂ側よりもキャビティ容積拡大方向に多く充填した状態で当該外周りのキャビティ容積を拡大させることにより、上記ソリッド層４３からなる平面視略三角形の環状厚肉部４５がキャビティ容積拡大方向に厚くなるように一体に形成されている。また、上記厚肉部４５と膨張領域部Ａとの間にはスリット状の環状溝４６が形成されている。なお、図示しないが、上記取付部１９及び取付座２５も上記取付部３７と同様に、成形時にキャビティ容積を拡大させずに膨張層４１を有することなく樹脂密度の高いソリッド層４３に形成されている。
【００１７】
次に、キャリアプレート９の成形要領について説明する。ここでは、取付部３７周りの型構造を示す図４及び図５に基づいて説明するが、取付部１９及び取付座２５周りも基本的には同様の型構造になっているので説明を省略する。
【００１８】
まず、図４に示すように、成形型４７を型閉じする。固定型４９には取付部３７形成用のスライド型５１が油圧シリンダ（図示せず）の伸長作動により進出方向に付勢された状態で収容孔４９ａに収容されて配置されている。この状態で、上記スライド型５１は油圧シリンダ（図示せず）の伸長作動により進出方向に付勢されているが、スライド型５１の先端に形成されたモータ取付孔３７ａ形成用の大径凸部５１ａ及び貫通孔３７ｂ形成用の小径凸部５１ｂがキャビティ５３内に進出して可動型５５の成形面５５ａに当接し、スライド型５１の進出動作が規制されているとともに、スライド型５１の成形面５１ｃが固定型４９の成形面４９ｂと面一になっていて、スライド型５１の先端外周縁部に直角に切り欠いて形成された面取部５１ｄ全体が両成形面４９ｂ，５１ｃから下方に位置付けられている。なお、スライド型５１の成形面５１ｃは、型閉じ状態で固定型４９の成形面４９ｂよりもキャビティ５３内へ突出するようにしてもよいが、この場合、スライド型５１の面取部５１ｄは、固定型４９の成形面４９ｂよりスライド型５１の後退方向に所定寸法だけ延びるように形成することが好ましい。
【００１９】
次いで、成形型４７のキャビティ５３内に射出機（図示せず）からガラス繊維等の繊維入り熱可塑性樹脂Ｒ（例えば繊維入りポリプロピレン樹脂）を射出充填する。図５はこの射出充填状態を示している。この状態で、繊維入り熱可塑性樹脂Ｒはスライド型５１の面取部５１ｄに対応するキャビティの樹脂充填量が該面取部５１ｄを除く先端成形面５１ｃよりもキャビティ容積拡大方向に多くなっている。
【００２０】
その後、成形型４７のキャビティ５３内に射出充填された繊維入り熱可塑性樹脂Ｒが固化する過程で、すなわち、繊維入り熱可塑性樹脂Ｒの固化進行により上記成形型４７の成形面４９ｂ，５１ｃ，５５ａ近傍における繊維入り熱可塑性樹脂Ｒにスキン層３９が生成された時点で、図５に示すように、可動型５５をキャビティ容積拡大方向Ｙ１（型開き方向）に後退させる。つまり、可動型５５を固定型４９から僅かに離れさせ、キャビティ容積を例えば２倍もしくはそれ以上に拡大させる。これに伴い、スライド型５１が可動型５５の後退動作に矢印Ｙ２方向へと追従してキャビティ５３内に進出し、このため、スライド型対応箇所のキャビティ容積は拡大しない。この段階で、繊維入り熱可塑性樹脂Ｒは、成形型４７の成形面４９ｂ，５１ｃ，５５ａと接触する部分が型温の影響により早期に冷却されているため、空隙がなく堅いスキン層３９となって表面層を構成する。一方、繊維入り熱可塑性樹脂Ｒの内側部分は型温の影響を受け難く、粘度の高いゲル状態になっている。したがって、キャビティ容積の拡大により、それまで固定型４９及び可動型５５で圧縮されている繊維入り熱可塑性樹脂Ｒが可動型５５の成形面５５ａに引っ張られて膨張する。この際、繊維入り熱可塑性樹脂Ｒ中の繊維も上記圧縮が軽減されて弾性的に復元し、この弾性復元力（スプリングバック現象）によっても上記熱可塑性樹脂Ｒが膨張する。
【００２１】
このことにより、空隙がなく堅いスキン層３９が表面に形成されるとともに、内部に多数の空隙（図示せず）を有する膨張層４１を有する膨張領域部Ａが形成されたプレート本体１５が成形される。また、取付部３７に対応するキャビティ５３内の繊維入り熱可塑性樹脂Ｒは、可動型５５がキャビティ容積拡大方向Ｙ１に後退しても、この後退動作にスライド型５１が矢印Ｙ２方向へと追従してキャビティ５３内に進出するので、当該キャビティ空間は拡大せず、したがって、可動型５５の成形面５５ａに引っ張られずに動かないため、取付部３７が膨張領域部Ａに隣接して堅いソリッド層４３に形成されている。そして、上記取付部３７にはモータ取付孔３７ａ及び貫通孔３７ｂが形成されているとともに、取付部３７（ソリッド領域部Ｂ）の膨張領域部Ａとの境界には、上記ソリッド層４３からなる厚肉部４５がキャビティ容積拡大方向Ｙ１に厚くなるように一体に形成され、かつ上記厚肉部４５と膨張領域部Ａとの間にはスリット状の環状溝４６が形成されている。同様に、キャリアプレート取付用の取付部１９や、ウインドガラスを昇降案内するガイドレール取付用の取付座２５も堅いソリッド層４３に形成されている。
【００２２】
このようにしてソリッド領域部Ｂ、取付部１９及び取付座２５を除くプレート本体１５は、表面にスキン層３９が形成されるとともに、内部に多数の空隙を有する膨張層４１が形成されているため、プレート本体１５が膨張層４１を有しないソリッド層のみからなりかつ本実施形態のプレート本体１５と同一肉厚である場合に比べて、軽量化を図ることができる。
【００２３】
また、上記取付部１９，３７及び取付座２５が膨張層４１のない樹脂密度の高いソリッド層４３に形成されているため、これらの剛性強度の強化、特に圧縮強度の強化を確固たるものにすることができる。加えて、上記取付部３７の膨張領域部Ａとの境界にソリッド層４３からなる厚肉部４５が形成されているため、取付部３７の剛性強度、特に圧縮強度をさらに向上させることができる。
【００２４】
さらに、繊維入り熱可塑性樹脂Ｒの射出充填時にスライド型５１の先端成形面５１ｃと固定型４９の成形面４９ｂとが面一になっている状態から、上記スライド型５１が膨張成形時にキャビティ５３内に進出するが、その際、スライド型５１には面取部５１ｄが形成されているため、該面取部５１ｄが形成されていないものに比べてスライド型５１先端（スライド型成形面５１ｃ）近傍の樹脂充填量が多く、これにより膨張成形の際スライド型５１が進出すると、未だ固化状態にないゲル状の樹脂の一部が拡大したキャビティ５３内に流出する。この際、ゲル状の樹脂は固化進行状態にある樹脂であり、硬い金属製や硬質樹脂製のスライド型に比べて格段に柔らかいため、ゲル状の樹脂がクッション（緩衝）を作用してスライド型５１の先端周辺部の進出力は吸収緩和される。したがって、取付部３７の膨張領域部Ａとの境界に亀裂が発生せず、成形されたキャリアプレート９の剛性強度を確保することができる。
【００２５】
さらにまた、スライド型５１に面取部５１ｄを形成するだけで、型構造を大幅に改変することなく簡素な型構造で上述の如き亀裂がなく優れた強度剛性を有するキャリアプレート９を安価に成形することができる。
【００２６】
なお、上記の実施形態では、スライド型５１の面取部５１ｄを直角に切り欠いた形状に構成したが、上記面取部５１ｄは斜めに直線的に切り欠いた傾斜面にしたり、あるいは凸状湾曲面や凹状湾曲面等で構成してもよい。また、上記スライド型５１及びこれにより形成される取付部１９，３７及び取付座２５は、実施形態に挙げた形状に限らず、上記取付部１９及び取付座２５は横断面が円形状以外に楕円形状や矩形状等であってもよく、ウインドガラス昇降用モータ取付用の取付部３７も平面視略三角形に限らない。
【００２７】
さらに、上記の実施形態において、繊維入り熱可塑性樹脂Ｒに発泡材を含有させれば、可動型５５の後退量すなわち膨張倍率を大きくしてプレート本体１５の可動型後退方向の肉厚（板厚）を厚くした場合、繊維入り熱可塑性樹脂Ｒの膨張量が不足しても、発泡材の発泡力（膨張圧）がそれを補完して空隙を確実に形成することができて好ましい。これらの場合、発泡材としては、化学反応によりガスを発生させる化学的発泡材や、二酸化炭素ガス及び窒素ガス等の不活性ガスを用いる物理的発泡材等がある。
【００２８】
加えて、上記の実施形態では、膨張成形時に、スライド型５１を固定型４９側に設けて可動型５５の後退動作に追従させてキャビティ５３内に進出させることにより、取付座１９，３７及び取付座２５をソリッド層４３に形成したが、スライド型５１を可動型５５側に設けて膨張成形工程で可動型５５のみを後退させてスライド型５１は後退させないようにすることにより、取付座１９，３７及び取付座２５をソリッド層４３に形成するようにしてもよい。
【００２９】
さらにまた、上記の実施形態では、樹脂成形体が自動車のサイドドアのキャリアプレート９である場合を示したが、インストルメントパネル、ドアトリム、トランクボード等の他の自動車用パネルや自動車以外の家電製品、住宅用パネル等にも適用することができるものである。
【産業上の利用可能性】
【００３０】
この発明は、樹脂密度の高いスキン層が表面に形成されるとともに多数の空隙を有し上記スキン層に比べて樹脂密度の低い膨張層が内部に形成された膨張領域部と、該膨張領域部に隣接し上記膨張層を有することなく樹脂密度の高いソリッド層に形成されたソリッド領域部とで構成されたパネル状の樹脂成形体について有用である。
【図面の簡単な説明】
【００３１】
【図１】図２のＩ−Ｉ線における断面図である。
【図２】キャリアプレートを車室外側から見た正面図である。
【図３】図２のIII −III 線における自動車のサイドドア断面図である。
【図４】成形型のキャビティ内に繊維入り熱可塑性樹脂を射出充填した状態を示す図２のＩ−Ｉ線断面対応箇所の射出成形工程図である。
【図５】可動型をキャビティ容積が拡大する方向に僅かに後退させた状態の膨張成形工程を示す図４相当図である。
【符号の説明】
【００３２】
９      キャリアプレート（樹脂成形体）
１５    プレート本体
３７    取付部
３９    スキン層
４１    膨張層
４３    ソリッド層
４５    厚肉部
４７    成形型
４９    固定型
４９ｂ  固定型の成形面
５１    スライド型
５１ｃ  スライド型の成形面
５３    キャビティ
５５    可動型
５５ａ  可動型の成形面
Ａ      膨張領域部
Ｂ      ソリッド領域部
Ｒ      繊維入り熱可塑性樹脂
【図１】
2007223282.tif 000003
【図２】
2007223282.tif 000004
【図３】
2007223282.tif 000005
【図４】
2007223282.tif 000006
【図５】
2007223282.tif 000007